(57)【要約】【課題】蓋体を脱気器の外面に締結する締結装置における蒸気漏れを防止する。【解決手段】脱気器１の開口部４を閉塞する蓋体１０を脱気器１の外面に締結する蒸気漏れ防止式締結装置２０は、開口部４の周辺において脱気器１の外面に立設され、蓋体１０に形成された挿通孔１１に挿通されるボルト２１と、ボルト２１に螺合して、蓋体１０を脱気器１の外面に締結するナット２２と、中空３３を有するとともに、中空３３を置いて相対する位置に第１開口３１及び第２開口３４を有したケーシング３０と、ボルト２１の先端部に螺合する袋ナット４０と、を備え、第１開口３１の縁部３２が蓋体１０に突き当てられ、ナット２２が中空３３に収容され、ボルト２１がケーシング３０の第１開口３１、中空３３及び第２開口３４を貫通し、ボルト２１の先端部と袋ナット４０の螺合によってケーシング３０が蓋体１０に締結され、第２開口３４が袋ナット４０により閉塞される。【選択図】図１
2019190500.tif 000002
【特許請求の範囲】
【請求項１】
脱気器の外面に形成された開口部を閉塞する蓋体を前記脱気器の外面に締結する蒸気漏れ防止式締結装置において、
前記開口部の周辺において前記脱気器の外面に立設され、前記蓋体に形成された挿通孔に挿通されるボルトと、
前記ボルトに螺合して、前記蓋体を前記脱気器の外面に締結するナットと、
中空を有するとともに、前記中空を間に置いて前記ボルトの軸方向に相対する位置に第１開口及び第２開口を有したケーシングと、
前記ボルトの先端部に螺合する袋ナットと、を備え、
前記ケーシングの前記第１開口の縁部が前記蓋体に突き当てられ、前記ナットが前記ケーシングの前記中空に収容され、前記ボルトが前記ケーシングの前記第１開口、前記中空及び前記第２開口を貫通し、前記ボルトの先端部と前記袋ナットの螺合によって前記ケーシングが前記袋ナットにより前記蓋体に締結され、前記ケーシングの前記第２開口が前記袋ナットによって閉塞される
蒸気漏れ防止式締結装置。
【請求項２】
前記ケーシングの前記第１開口の縁部と前記蓋体との間を密封するシールを更に備える
請求項１に記載の蒸気漏れ防止式締結装置。
【請求項３】
前記袋ナットと前記ケーシングとの間を密閉するシールを更に備える
請求項１又は２に記載の蒸気漏れ防止式締結装置。
【発明の詳細な説明】
【技術分野】
【０００１】
本発明は、脱気器の開口部を閉塞する蓋体を脱気器の外面に締結する蒸気漏れ防止式締結装置に関する。
【背景技術】
【０００２】
特許文献１に開示されているように、脱気器は、復水と蒸気を接触させることによって復水中の溶存酸素を脱気する装置である。また、脱気器の内部のメンテナンスのために、作業員の出入り用の開口部が脱気器に設けられている。脱気器の運転中は、その開口部が蓋体によって閉塞されており、その蓋体がボルトナット締結装置によって脱気器に固定されている。ところが、脱気器内の蒸気が、締結装置に存在する微小な隙間を通じて外部に漏洩することがある。蒸気漏洩が発生すると、締結装置のナットの増し締めや脱気器の停止・メンテナンスが必要となる。
【先行技術文献】
【特許文献】
【０００３】
【特許文献１】特開２０００−２６２８０９号公報
【発明の概要】
【発明が解決しようとする課題】
【０００４】
そこで、本発明は、上記事情に鑑みてなされたものであり、本発明の目的は、蓋体を脱気器の外面に締結する締結装置における蒸気漏れを防止することである。
【課題を解決するための手段】
【０００５】
以上の課題を解決するために、脱気器の外面に形成された開口部を閉塞する蓋体を前記脱気器の外面に締結する蒸気漏れ防止式締結装置は、前記開口部の周辺において前記脱気器の外面に立設され、前記蓋体に形成された挿通孔に挿通されるボルトと、前記ボルトに螺合して、前記蓋体を前記脱気器の外面に締結するナットと、中空を有するとともに、前記中空を間に置いて前記ボルトの軸方向に相対する位置に第１開口及び第２開口を有したケーシングと、前記ボルトの先端部に螺合する袋ナットと、を備え、前記ケーシングの前記第１開口の縁部が前記蓋体に突き当てられ、前記ナットが前記ケーシングの前記中空に収容され、前記ボルトが前記ケーシングの前記第１開口、前記中空及び前記第２開口を貫通し、前記ボルトの先端部と前記袋ナットの螺合によって前記ケーシングが前記袋ナットにより前記蓋体に締結され、前記ケーシングの前記第２開口が前記袋ナットによって閉塞される。
【０００６】
以上によれば、ボルトとナットの締結部に存在する微小な隙間を通じて蒸気が漏洩した場合でも、その蒸気はケーシングの中空に閉じ込められる。よって、蒸気漏れを防止することができる。
【発明の効果】
【０００７】
本発明の実施形態によれば、蒸気漏れを防止できる。
【図面の簡単な説明】
【０００８】
【図１】脱気器の正面図である。
【図２】脱気器の開口を閉塞する蓋体の周縁部の断面図である。
【発明を実施するための形態】
【０００９】
以下、図面を参照して、本発明の実施形態について説明する。以下に述べる実施形態には、本発明を実施するために技術的に好ましい種々の限定が付されているが、本発明の範囲を以下の実施形態及び図示例に限定するものではない。
【００１０】
図１は脱気器１の正面図である。
脱気器１は、脱気塔２と、脱気塔２の下に設けられた貯水タンク３とを有する。復水器等から復水が配管５を通じて脱気塔２に供給され、蒸気が配管６を通じて脱気塔２に供給され、供給された水と蒸気が互いに接触することによって、水中の溶存酸素が分離される。分離された酸素は他のガスとともに脱気塔２から配管７へ排出される。脱気された水は脱気塔２から貯水タンク３に流入して、貯水される。また、配管６を通じて貯水タンク３に供給された蒸気が貯水タンク３内の貯水中に噴出して、貯水中を上昇する。貯水の水面から噴出した蒸気が貯水タンク３から脱気塔２に流動する際に、蒸気と水が接触することによっても、水中の溶存酸素が分離される。貯水タンク３内の水は配管８を通じてボイラ等に供給される。
【００１１】
貯水タンク３の外面には、メンテナンスの際に作業者が通る開口部４が形成されており、その開口部４が蓋体１０によって閉塞されている。蓋体１０は、蓋体１０の周縁部に沿って周方向に配列された蒸気漏れ防止式締結装置２０によって貯水タンク３の外面に締結されている。以下、図２の断面図を参照して、蒸気漏れ防止式締結装置２０について詳細に説明する。
【００１２】
図２に示すように、蒸気漏れ防止式締結装置２０はボルト２１、ナット２２、ワッシャー２３、ケーシング３０、袋ナット４０及びリング状シール５０，６０を備える。
【００１３】
ボルト２１は、貯水タンク３の開口部４の周辺において、貯水タンク３の外面３ａに対して立てた状態に固定されている。一方、蓋体１０の周縁部には挿通孔１１が形成され、挿通孔１１にはボルト２１が挿通されている。このボルト２１はワッシャー２３に挿通され、更にナット２２に螺合する。ボルト２１とナット２２の螺合によって、蓋体１０が貯水タンク３の外面３ａに締め付けられている。ナット２２と蓋体１０との間にワッシャー２３が介挿される。
【００１４】
ケーシング３０の第１開口３１が蓋体１０に向けられ、第１開口３１の縁部３２がシール５０を介して蓋体１０に突き当てられ、ナット２２がケーシング３０の中空３３に収容されている。第１開口３１の縁部３２が蓋体１０の挿通孔１１を囲繞する。ボルト２１は第１開口３１からケーシング３０の中空３３に挿入されているとともに、中空３３から反対側の第２開口３４を通ってケーシング３０の外側に突き出ている。これにより、第１開口３１と第２開口３４は、中空３３を第１開口３１と第２開口３４の間に置いて、ボルト２１の軸方向に相対する。ここで、ケーシング３０は、筒状部３５と、筒状部３５の端部から内側に突き出る共に第２開口３４の縁を画定するリング状のエンドプレート３６と、を有する。筒状部３５とエンドプレート３６は溶接等によって一体化されている。
【００１５】
ケーシング３０の外側では、袋ナット４０がボルト２１の先端部に螺合する。これにより袋ナット４０がケーシング３０、特にエンドプレート３６に締め付けられ、第２開口３４が袋ナット４０によって閉塞されている。袋ナット４０とエンドプレート３６との間にはシール６０が挟み込まれ、袋ナット４０とエンドプレート３６との間がシール６０によって密封されている。
【００１６】
また、袋ナット４０とボルト２１の螺合によって、ケーシング３０の第１開口３１の縁部３２が蓋体１０に締め付けられている。ケーシング３０の第１開口３１の縁部３２と蓋体１０との間がシール５０によって密封されている。
【００１７】
以上の実施形態においては、ボルト２１とナット２２との間のバックラッシュ、ナット２２とワッシャー２３との間の微小な隙間、ワッシャー２３と蓋体１０との間の微小な隙間、挿通孔１１内に存在する微小な隙間等を通じて蒸気が漏洩した場合でも、その蒸気はケーシング３０の中空３３に閉じ込められる。ケーシング３０の中空３３内の蒸気及び凝縮水はシール５０，６０によってケーシング３０の外側に漏洩しない。更に、ボルト２１の先端が袋ナット４０によって覆われているため、袋ナット４０とボルト２１の間のバックラッシュに起因した蒸気や凝縮水の漏洩が発生しない。
【００１８】
なお、脱気塔２の外面にメンテナンス用の開口部が形成され、その開口部が蓋体によって閉塞されているが、この蓋体も蒸気漏れ防止式締結装置２０と同様な蒸気漏れ防止式締結装置によって脱気塔２の外面に締結されている。
【符号の説明】
【００１９】
１…脱気器
３…貯水タンク
３ａ…貯水タンクの外面
４…開口部
１０…蓋体
１１…挿通孔
２０…蒸気漏れ防止式締結装置
２１…ボルト
２２…ナット
３０…ケーシング
３１…第１開口
３２…第１開口の縁部
３３…中空
３４…第２開口
４０…袋ナット
５０，６０…シール
【図１】
2019190500.tif 000003
【図２】
2019190500.tif 000004